(57)【特許請求の範囲】
【請求項１】
サーフィンに用いられるサーフブーツであって、
電池と、
防水性能を有し、前記電池からの給電により発熱して前記サーフブーツ内を温める発熱体と、
前記電池から前記発熱体への給電を制御する制御装置と、
前記電池と前記制御装置を封入し、前記電池及び前記制御装置に防水性能を持たせる完全防水のケースと、
使用者の外側のくるぶしよりも上に配置され、前記ケースを入れるポケットと、
前記ケース内に配置され、前記制御装置によって制御され、前記発熱体の電源のオンとオフの切り替えの際に、前記電池からの給電により振動を発生させる振動モータと、
を有し、
前記制御装置から延びる導電線と前記発熱体から延びる導電線が、前記ポケット内でコネクタにより着脱自在に接続されるサーフブーツ。
【請求項２】
サーフィンに用いられるインナーソックスであって、
電池と、
防水性能を有し、前記電池からの給電により発熱して前記インナーソックス内を温める発熱体と、
前記電池から前記発熱体への給電を制御する制御装置と、
前記電池と前記制御装置を封入し、前記電池及び前記制御装置に防水性能を持たせる完全防水のケースと、
使用者の外側のくるぶしよりも上に配置され、前記ケースを入れるポケットと、
前記ケース内に配置され、前記制御装置によって制御され、前記発熱体の電源のオンとオフの切り替えの際に、前記電池からの給電により振動を発生させる振動モータと、
を有し、
前記制御装置から延びる導電線と前記発熱体から延びる導電線が、前記ポケット内でコネクタにより着脱自在に接続されるインナーソックス。
【発明の詳細な説明】
【技術分野】
【０００１】
本発明は、サーフィンにおいて使用されるサーフブーツ及びインナーソックスに関するものである。
【背景技術】
【０００２】
海水温が低い時期のサーフィンにおいて、足の防寒対策として使用されるサーフブーツがある。また、下記特許文献１において、電熱装置を備える手袋裏地が提案されている。
【先行技術文献】
【特許文献】
【０００３】
【特許文献１】特開２０１０−１２１２４３号公報
【発明の概要】
【発明が解決しようとする課題】
【０００４】
気温又は海水温が低いときに行うサーフィンでは、サーフブーツを使用しても、短時間で足の温度が低下し、足の感覚が鈍くなってしまうため、長時間サーフィンを楽しむことができないという問題がある。
【０００５】
本発明は、従来技術の上記問題点を解消し、サーフィンにおける足の温度の低下を防ぐサーフブーツ及びインナーソックスを提供することを目的とする。
【課題を解決するための手段】
【０００６】
上記課題を解決する本願の第１の態様は、
サーフィンに用いられるサーフブーツであって、
電池と、
防水性能を有し、前記電池からの給電により発熱して前記サーフブーツ内を温める発熱体と、
前記電池から前記発熱体への給電を制御する制御装置と、
前記電池と前記制御装置を封入し、前記電池及び前記制御装置に防水性能を持たせる完全防水のケースと、
使用者の外側のくるぶしよりも上に配置され、前記ケースを入れるポケットと、
前記ケース内に配置され、前記制御装置によって制御され、前記発熱体の電源のオンとオフの切り替えの際に、前記電池からの給電により振動を発生させる振動モータと、
を有し、
前記制御装置から延びる導電線と前記発熱体から延びる導電線が、前記ポケット内でコネクタにより着脱自在に接続されるサーフブーツである。
【０００８】
また、本願の第２の態様は、
サーフィンに用いられるインナーソックスであって、
電池と、
防水性能を有し、前記電池からの給電により発熱して前記インナーソックス内を温める発熱体と、
前記電池から前記発熱体への給電を制御する制御装置と、
前記電池と前記制御装置を封入し、前記電池及び前記制御装置に防水性能を持たせる完全防水のケースと、
使用者の外側のくるぶしよりも上に配置され、前記ケースを入れるポケットと、
前記ケース内に配置され、前記制御装置によって制御され、前記発熱体の電源のオンとオフの切り替えの際に、前記電池からの給電により振動を発生させる振動モータと、
を有し、
前記制御装置から延びる導電線と前記発熱体から延びる導電線が、前記ポケット内でコネクタにより着脱自在に接続されるインナーソックスである。
【発明の効果】
【００１０】
本願発明によれば、サーフィンにおける足の温度の低下を防ぐサーフブーツ及びインナーソックスを提供することができる。
【図面の簡単な説明】
【００１１】
【図１】本願の第１実施形態に係るサーフブーツを示す斜視図である。
【図２】本願の第１実施形態に係るサーフブーツの制御電源装置を示す分解斜視図である。
【図３】本願の第１実施形態に係る制御電源装置とそれに接続された構成要素を示す構成図である。
【図４】本願の第２実施形態に係るインナーソックスを示す斜視図である。
【発明を実施するための形態】
【００１２】
（第１実施形態）
図１から図３を参照して、本願の第１実施形態に係るサーフブーツ１００について説明する。図１は左足用のサーフブーツ１００を示す斜視図である。なお、本願発明は左足用のサーフブーツ１００に限らず、右足用のサーフブーツにも適用することができる。
【００１３】
サーフブーツ１００は、ブーツ本体２と、制御電源装置３と、発熱体４とを有する。ブーツ本体２は、足首を固定するベルト付きのスタンダードタイプであっても良いし、足首を固定するベルトを有さないソックスタイプであっても良い。また、ブーツ本体２は、親指と他の指が同じ袋状部分（つま先部分）に挿入される先丸タイプであるが、親指と他の指が別々の袋状部分（つま先部分）に挿入される先割れタイプであってもよい。本実施形態において、ブーツ本体２はソックスタイプの先丸タイプとしている。
【００１４】
ブーツ本体２はポケット２ａを有する。ポケット２ａは足首の上に延びる筒部２ｂの径方向外側、かつ、左足用のサーフブーツ１００を履いたときに使用者から見て左側（体側側）に設けられている。ポケット２ａは袋状に形成され、上方に開放している。ポケット２ａには制御電源装置３が収納される。ポケット２ａには不図示の孔が形成され、発熱体４に接続された導電線５がその孔を貫通している。発熱体４から延びる導電線５の先端には雄コネクタ６が取り付けられている。雄コネクタ６は、制御電源装置３から延びる導電線５の先端部に取り付けられた雌コネクタ７と接続される。雄コネクタ６と雌コネクタ７は防水コネクタ９を構成する。なお、雄コネクタ６と雌コネクタ７の配置は逆としても良い。ポケット２ａの開口部にはファスナーを取り付けることが好ましい。これにより、制御電源装置３がポケット２ａから脱落するのを防ぐことができる。
【００１５】
サーフブーツ１００の筒部２ｂの上部が、径方向の外側部分と内側部分との２重に構成され、外側部分をウェットスーツの裾の上に被せるタイプの場合、ポケット２ａは、内側部分に設けることが好ましい。これにより、ポケット２ａにファスナーを取り付けなくても、制御電源装置３がポケット２ａから脱落するのを防ぐことができる。
【００１６】
発熱体４は、ブーツ本体２の足のつま先から甲にかけて配置することが好ましい。発熱体４は、制御電源装置３から導電線５を介して給電され、発熱する。導電線５は、ポケット２ａからくるぶしの後ろ側を通ってつま先側へ配置することが好ましい。発熱体４としては、電熱線、面状発熱体、半導体発熱素子、遠赤外線放射シート等、給電によって発熱する物を用いることができる。発熱体４は、必要に応じて水密性を有する部材によって覆う等、公知の防水手段により防水性能を持たせる。発熱体４及び導電線５は、ブーツ本体２の内側に直接固定することも可能であるが、ブーツ本体２を２重構造としてその間に配置することが好ましい。発熱体４は、足裏、足首前側、足首後側等に配置することもできる。また、発熱体４の大きさ及び数も任意である。
【００１７】
図２は制御電源装置３の分解斜視図である。図３は制御電源装置３の構成図である。制御電源装置３は、制御装置８と、振動モータ１０と、電池１１と、防水ケース１２とを有している。制御装置８は、スイッチ８ａと制御回路８ｂとからなる。
【００１８】
スイッチ８ａは、制御回路８ｂと電気的に接続され、発熱体４による発熱の開始、停止の操作に用いられる。スイッチ８ａは発熱体４の温度の調整にも用いるものとしても良い。
【００１９】
制御回路８ｂは、電池１１の陽極及び陰極と電気的に接続されている。制御回路８ｂからは導電線５が延び、導電線５の先端部には雌コネクタ７が取り付けられている。制御回路８ｂは、使用者によるスイッチ８ａの操作に応じて、電池１１から、導電線５と防水コネクタ９を介して発熱体４へ給電する。また、制御回路８ｂは、使用者によるスイッチ８ａの操作に応じて、電池１１から振動モータ１０へ給電する。
【００２０】
振動モータ１０は、制御回路８ｂと電気的に接続され、使用者によるスイッチ８ａの操作に応じて電池１１から給電され振動を発生させる。
【００２１】
電池１１は、リチウムイオン二次電池等の二次電池とすることが好ましいが、乾電池等の一次電池を用いることもできる。二次電池とした場合、充電は、導電線５及び雌コネクタ７を介して行うものとすることができる。したがって、電池１１を二次電池とする場合、防水コネクタ９を設けることが好ましいが、充電用のコネクタを別途設けても良い。
【００２２】
防水ケース１２は、制御装置８、振動モータ１０及び電池１１を収納する。防水ケース１２としては、例えば、中空の円柱状のケースを使用することができる。防水ケース１２に防水性能を持たせるためには、例えば、プラスチック製のケースを用い、接着剤で密閉して、アセトンで接合部のプラスチックを部分的に溶かして完全防水したものとすることができる。導電線５が貫通する防水ケース１２の部分は、ゴムブッシュ１３を配置する等して防水することができる。防水ケース１２は、スイッチ８ａを貫通させる穴部１２ａを形成している。穴部１２ａの周辺も防水処理を行う。例えば、穴部１２ａの周囲に環状の凸部１２ｂを設け、その内側にレジン等の柔軟性のある樹脂１２ｃを流し込んで固化させることができる。
【００２３】
以上の構成からなる第１実施形態のサーフブーツ１００は、例えば、以下のように制御するものとする。発熱体４が発熱していない状態で使用者がスイッチ８ａを押すと、制御回路８ｂが発熱体４への給電を開始すると共に、振動モータ１０に給電し、一時的に振動を発生させる。これにより、使用者は、サーフブーツ１００を着用した状態で、発熱が始まったことを認識することができる。発熱体４が発熱している状態において使用者がスイッチ８ａを押すと、制御回路８ｂが電池１１から発熱体４への給電を停止すると共に、振動モータ１０に給電し、一時的に振動を発生させる。これにより、使用者は、サーフブーツ１００を着用した状態で、発熱が終わったことを認識することができる。
【００２４】
また、第１実施形態に係るサーフブーツ１００は、発熱体４による発熱の温度を変化可能に構成することもできる。この場合、例えば、使用者がスイッチ８ａを長押しすると、電源のオンとオフが切り替わり、オンとオフの切り替えの際には、振動モータ１０が比較的長い時間、振動を発生させるものとする。また、発熱体４が発熱している状態で使用者がスイッチ８ａを押すと、制御回路８ｂが発熱体４へ給電する電圧を高めると共に、振動モータ１０に給電し、電源のオンとオフの切り替えの時よりも短い時間、振動を発生させる。また、例えば、温度を３段階で切替え可能とする場合、１段階目では振動を１回発生させ、２段階目では振動を断続的に２回発生させ、３段階目では振動を断続的に３回発生させるように構成することができる。この場合の温度の切替えは、例えば、スイッチ８ａを１回押すごとに１段階変化し、４回押すと最初の温度に戻るものとすることができる。その他、温度の調整は、スイッチ８ａを押している時間に応じて徐々に変化するものとしても良い。
【００２５】
以上に説明した本第１実施形態によれば、サーフィンにおける足の温度の低下を防ぐサーフブーツ１００を提供することができる。
【００２６】
（第２実施形態）
次に、図４を参照して本願の第２実施形態に係るインナーソックス２００について説明する。図４はインナーソックス２００の斜視図である。本第２実施形態に係るインナーソックス２００は、上記第１実施形態に係るサーフブーツ１００と多くの点で共通する。したがって、第１実施形態と共通する部分には、第１実施形態で用いた参照符号に「２００」を足した参照符号を付し、重複する説明は省略する。例えば、第１実施形態の制御電源装置３に対応する部分には「２０３」の参照符号を付す。なお、本願発明は左足用のインナーソックス２００に限らず、右足用のインナーソックスにも適用することができる。
【００２７】
インナーソックス２００は、サーフィンを行う際、サーフブーツ及びウェットスーツのインナーとして履かれるソックスである。インナーソックス２００は、ソックス本体２０２と、制御電源装置２０３と、発熱体２０４と、導電線２０５とを有する。制御電源装置２０３には、第１実施形態の説明において図２に示したものと同様に、スイッチと制御回路からなる制御装置、電池、及び、振動モータが収容されているが、図示を省略している。
【００２８】
発熱体２０４は、使用者による操作に応じて、導電線２０５を介して給電され、発熱する。ソックス本体２０２は、親指と他の指が別々の袋状部分（つま先部分）に挿入される先割れタイプのソックスであるが、本願発明は、これに限らず、全ての指が１つの袋状部分に挿入される先丸タイプのソックスに適用することも可能である。
【００２９】
インナーソックス２００の実証実験では、１時間程度で足の感覚を失う低気温かつ低海水温の状況下において、２時間から３時間、足の感覚を失うことなくサーフィンを行うことができた。
【００３０】
本第２実施形態によれば、上記第１実施形態と同様に、サーフィンにおける足の温度の低下を防ぐインナーソックス２００を提供することができる。
【００３１】
なお、上記実施形態は本願発明を理解しやすくするため、具体的に説明したものであり、本願発明はこれに限られるものではない。
【００３２】
例えば、制御電源装置の形状は円柱状に限らず、板状、直方体状等、様々な形状を採用することができる。
【００３３】
また、導電線の途中に防水コネクタ９を設けることも必須ではなく、例えば、制御電源装置から、発熱体まで一体に形成された導電線とすることもできる。
【００３４】
また、発熱体４、導電線５、防水コネクタ９、スイッチ８ａ、制御回路８ｂ、振動モータ１０、電池１１、及び、防水ケース１２等の各構成要素の配置及び数も上記実施形態に限られない。例えば、電池１１、スイッチ８ａ、制御回路８ｂがそれぞれ防水性能を有し、離隔して配置されていても良く、発熱体４が複数配置されても良い。また、電池１１、スイッチ８ａ、制御回路８ｂは、それぞれサーフブーツ１００又はインナーソックス２００に固定されていても良い。
【００３５】
また、振動モータ１０は、使用者による操作に応じて振動する他、例えば、電池が所定の残量になった時、電源をオンにしてから所定の時間が経過した時等に振動するものとしても良い。
【００３６】
また、何らかの衝撃による破損、漏電、短絡などに対する安全性の確保のため、安全保護回路等を設けても良い。
【符号の説明】
【００３７】
２、２０２  ブーツ本体
２ａ、２０２ａ  ポケット
２ｂ、２０２ｂ  筒部
３、２０３  制御電源装置
４、２０４  発熱体
５、２０５  導電線
６  雄コネクタ
７  雌コネクタ
８  制御装置
８ａ  スイッチ
８ｂ  制御回路
９  防水コネクタ
１０  振動モータ
１１  電池
１２  防水ケース
１２ａ  穴部
１２ｂ  凸部
１２ｃ  樹脂
１３  ゴムブッシュ
１００  サーフブーツ
２００  インナーソックス
【要約】
【課題】サーフィンにおける足の温度の低下を防ぐサーフブーツ及びインナーソックスを提供する。
【解決手段】サーフィンに用いられるサーフブーツ１００又はインナーソックス２００において、電池１１と、電池１１からの給電により発熱する発熱体４と、電池１１から発熱体４への給電を制御する制御装置８と、を有し、電池１１、発熱体４及び制御装置８が防水性能を有するものとする。また、制御装置８によって制御され、電池１１からの給電により振動を発生させる振動モータ１０を有するものとする。
【選択図】  図１【図１】
0006893050.tif 000002
【図２】
0006893050.tif 000003
【図３】
0006893050.tif 000004
【図４】
0006893050.tif 000005